(57)【要約】      （修正有）【課題】出入口として空間の利用効率を高めるためにその構造を改善した、回転可能なスライディングドアシステムを提供する。【解決手段】底が開口され、ドアの装着空間を形成するフレーム１１０と、このフレーム１１０の内周面の一側に回転可能に結合し、上部の下面にレールを有する回転ドア枠１２０と、フレーム１１０の内周面のうちの回転ドア枠１２０の結合部位を除いた部位に固定され、回転ドア枠１２０のレール１２１に延びるレールを有する固定ドア枠１３０と、回転ドア枠１２０の内側に固定され、下段に底面に対応して回転可能な少なくとも一つの輪を有する固定ドア１４０と、この固定ドア枠１３０と回転ドア枠１２０とにスライディング可能に結合し、下段に底面と対応して回転可能な少なくとも一つの輪を有する一つ以上のスライディングドア１５０，１６０と、を含む回転可能なスライディングドアシステム。【選択図】図２ｂ
2006316605.tif 000002
【特許請求の範囲】
【請求項１】
底が開口され、ドアの装着空間を形成するフレームと、
前記フレームの内周面の一側に回転可能に結合し、上部の下面にレールを有する回転ドア枠と、
前記フレームの内周面のうちの前記回転ドア枠の結合部位を除いた部位に固定され、前記回転ドア枠のレールに延びるレールを有する固定ドア枠と、
前記回転ドア枠の内側に固定され、下段に底面に対応して回転可能な少なくとも一つの輪を有する固定ドアと、
前記固定ドア枠と前記回転ドア枠とにスライディング可能に結合し、下段に底面と対応して回転可能な少なくとも一つの輪を有する一つ以上のスライディングドアと、
を含む回転可能なスライディングドアシステム。
【請求項２】
前記回転ドア枠は、油圧式ヒンジにより前記フレーム部の一側に回転可能に結合することを特徴とする請求項１に記載の回転可能なスライディングドアシステム。
【請求項３】
前記スライディングドアは、前記固定ドアと前記スライディングドアとが一側に重なったとき、前記スライディングドアのうちの最外側のスライディングドアを前記回転ドア枠に固定する固定装置を更に具備することを特徴とする請求項１に記載の回転可能なスライディングドアシステム。
【請求項４】
前記フレームと前記固定ドア枠とが一体であることを特徴とする請求項１から３のいずれかに記載の回転可能なスライディングドアシステム。
【発明の詳細な説明】
【技術分野】
【０００１】
本発明は、スライディングドアシステムに関し、より詳細には、出入口を広開可能に回転することのできる回転可能なスライディングドアシステムに関するものである。
【背景技術】
【０００２】
一般的に、スライディングドアシステムは、ドアをドア枠の前方または後方ではなく、ドア枠のレール方向にスライディングさせることによって、出入口を開閉することができることを言う。このようなスライディングドアは、出入口を更に広げられるようにするために多段のスライディングドアに発展した。
【０００３】
図１には、このような一般的なスライディングドアシステムの一例を示す斜視図が示されている。
【０００４】
図示されたように、使用者は、ドアを通って内部に入ったり、内部から出るために、多段に配置されたドア１１、１２、１３を一側に重なるように移動させて出入口を形成した後、そこを通って移動する。
【０００５】
ところが、前記のような一般的なスライディングドアシステムは、ドア１１、１２、１３が重なった部分を出入口として利用できないため、ドア枠２０により形成された空間を十分に活用できないという短所がある。すなわち、出入口としての空間の利用効率が劣るという限界がある。
【０００６】
【特許文献１】２０−１９９６−０００５３４５号明細書
【発明の開示】
【発明が解決しようとする課題】
【０００７】
本発明は、前述した問題点を解決するために創案されたもので、出入口としての空間の利用効率を高めるためにその構造を改善した、回転可能なスライディングドアシステムを提供することにその目的がある。
【０００８】
本発明の他の目的及び長所は、下記に説明されるべきであり、本発明の実施例から分かる。また、本発明の目的及び長所は、特許請求の範囲に示した手段及び組合せにより実現できる。
【課題を解決するための手段】
【０００９】
前記のような目的を達成する本発明によれば、底が開口され、ドアの装着空間を形成するフレームと、前記フレームの内周面の一側に回転可能に結合し、上部の下面にレールを有する回転ドア枠と、前記フレームの内周面のうちの前記回転ドア枠の結合部位を除いた部位に固定され、前記回転ドア枠のレールに延びるレールを有する固定ドア枠と、前記回転ドア枠の内側に固定され、下段に底面に対応して回転可能な少なくとも一つの輪を有する固定ドアと、前記固定ドア枠と前記回転ドア枠とにスライディング可能に結合し、下段に底面と対応して回転可能な少なくとも一つの輪を有する一つ以上のスライディングドアと、を含む回転可能なスライディングドアシステムが提供される。
【００１０】
ここで、前記回転可能なスライディングドアシステムは、前記固定ドアと前記スライディングドアとが一側に重なったとき、前記スライディングドアのうちの最外側のスライディングドアを前記回転ドア枠に固定させる固定装置を更に具備することが望ましい。
【発明の効果】
【００１１】
本発明によれば、スライディングドアを全て重ねて同時に開け閉め可能にすることで、出入口を広開することができる。したがって、出入口としての空間利用効率を極大化することができる。
【発明を実施するための最良の形態】
【００１２】
本明細書に記載された実施例と図面とに示されている構成は、本発明の一番望ましい一実施例に過ぎなく、本発明の技術的思想の全てを代弁するのではないので、本出願時点において、これらを代替できる様々な均等物と変形例とがあり得ることを理解すべきである。
【００１３】
図２ａから図２ｄは、本発明の実施例に係る回転可能なスライディングドアシステムであって、スライディングドアの動作に従って順次示す斜視図である。図３は、図２ａのIII−III線に沿った断面図であり、図４は、図２ａのIV−IV線に沿った断面図である。図５は、図２ｄのV−V線に沿った断面図を示す。
【００１４】
まず、図２ａから図２ｄを参照する。本発明の実施例に係る回転可能なスライディングドアシステムは、フレーム１１０と、回転ドア枠１２０と、固定ドア枠１３０と、固定ドア１４０と、第１及び第２のスライディングドア１５０、１６０とを具備する。
【００１５】
前記フレーム１１０は、底が開口され、ドアの装着空間を形成する。このようなフレーム１１０は、ウレタン、アルミニウム、または、木材などを使って製作できる。
【００１６】
前記回転ドア枠１２０は、図２ｄに示されたように、フレーム１１０の内周面の一側に回転可能に結合される。このために、図３から図５に示されたように、回転ドア枠１２０とフレーム１１０とはヒンジ１７０で結合され、このようなヒンジ１７０の結合により、回転ドア枠１２０は、前方または後方に回転できる。前記ヒンジ１７０には、蝶番式ヒンジまたは油圧式ヒンジなどを適用できるが、図３から図５には、油圧により急激な回転(Swing)動作を防止することにより、スムーズな作動を誘導する油圧式ヒンジを例示的に示している。ここで、ヒンジ１７０の個数とその結合位置とは、場合によって変えることができる。前記回転ドア枠１２０もフレーム１１０と同一の材料を使って製作できる。
【００１７】
前記固定ドア枠１３０は、フレーム１１０の内周面のうちの回転ドア枠１２０の結合部位を除いた部位に固定される。このような固定ドア枠１３０もフレーム１１０と同一の材料を使って製作できる。また、代案として、固定ドア枠１３０は、前記フレーム１１０と一体であってもよい。
【００１８】
前記固定ドア１４０は、回転ドア枠１２０の内側に固定される。そして、前記第１及び第２のスライディングドア１５０、１６０は、固定ドア枠１３０と回転ドア枠１２０とにスライディング(Sliding)可能に結合されている。ここで、前記固定ドア１４０とスライディングドア１５０、１６０とは、スライディングドア１５０、１６０のスライディングの際に相互の干渉を避けるために段差になるように配置される。一方、本実施例では、スライディングドアが２つであると例示しているが、これは説明の便宜のためのことであり、スライディングドアの個数は、１つであっても３つ以上であってもよい。
【００１９】
図３に示されたように、前記回転ドア枠１２０の上部の下面には、レール１２１が備えられ、前記固定ドア枠１３０の上部の下面にも、回転ドア枠１２０のレール１２１に延びるレール１３１が備えられる。このように、回転ドア枠１２０と固定ドア枠１３０とに各々備えられたレール１２１、１３１により、第１及び第２のスライディングドア１５０、１６０が経路を離脱することなく移動できるようになる。すなわち、固定ドア１４０は、回転ドア枠１２０のレール１２１に固定されたまま、第１及び第２のスライディングドア１５０、１６０は、回転ドア枠１２０と固定ドア枠１３０とに各々固定されたレール１２１、１３１を経路にして直線運動をする。また、第１及び第２のスライディングドア１５０、１６０が回転ドア枠１２０の内側にスライディングされて、固定ドア１４０と重なることができるようにする。
【００２０】
前記固定ドア１４０の下段には、底面に対応する少なくとも一つ以上の輪１４１を有する。また、前記第１及び第２のスライディングドア１５０、１６０もそれぞれ底面と対応して少なくとも一つの輪１５１、１６１を有する。このような第１及び第２のスライディングドア１５０、１６０の輪１５１、１６１は、地面との摩擦を減らし、スムーズなスライディングを可能にする。さらに、前記輪１４１、１５１、１６１は、各ドア１４０、１５０、１６０が一側に重なった状態で回転ドア枠１２０と共に回転できるように、底面に対して回転可能に設けられる。
【００２１】
一方、各ドア１４０、１５０、１６０が一側に重なった状態で前方または後方に回転するとき、回転ドア枠１２０と共に安定して回転するためには、スライディングドア１５０、１６０のうちの最外側に位置したスライディングドア、すなわち、第２のスライディングドア１６０が回転ドア枠１２０に固定されなければならない。第２のスライディングドア１６０と回転ドア枠１２０とを固定するために、その接触部位に固定装置（図示せず）が備えられる。このような固定装置は、様々な実施例に具現できる。例えば、前記固定装置は、第２のスライディングドア１６０と回転ドア枠１２０との接触部位に各々相補的な結合関係を持つように構成できる。但し、本発明の実施例において、固定装置の詳細な構成は省略することにする。また、使用者の選択によって、前記固定装置の作動を維持させたり、解除させたりすることのできるロック装置(図示せず)を更に備えてもよい。
【００２２】
付け加えて説明すれば、図４及び図５に示されたように、各ドア１４０、１５０、１６０は、スライディングドア１５０、１６０のスライディング移動を拘束するための停止突起１４２、１５２、１６２を備える。このような停止突起１４２、１５２、１６２により、第１のスライディングドア１５０は、第２のスライディングドア１６０の右側に移動できない。したがって、第２のスライディングドア１６０が固定装置により 回転ドア枠１２０に固定されることで、各ドア１４０、１５０、１６０は、一側に重なった状態で固定され、前方または後方に安定して回転動作できる。  
【００２３】
図６ａ及び図６ｂは、本発明の実施例に係る回転可能なスライディングドアシステムを説明するために示す図面であり、これを参照して、回転ドア枠１２０と各ドア１４０、１５０、１６０との回転動作を詳細に説明する。回転ドア枠１２０と各ドア１４０、１５０、１６０とが回転するとき、半径ａおよび半径ｂとなるドア１４０、１５０、１６０が通り過ぎる軌跡が形成される。半径ｂは半径ａよりも大きい値となる。この時、半径ｂの領域が半径ａの領域よりも広いので、これを考慮して回転ドア枠１２０と固定ドア枠１３０との形態を決定する。また、図６ｂから示すように、外側から隙間が見えないように、回転ドア枠１２０及び固定ドア枠１３０の形態を変形することもできる。
【００２４】
以下、本発明の実施例に係るスライディング回転ドアの作用を、添付された図面を参照して詳細に説明すれば、下記の通りである。
【００２５】
まず、使用者は、第２のスライディングドア１６０を第１のスライディングドア１５０と重ねられるように開ける。この時、底面に当接する輪１６１と固定ドア枠１３０のレール１３１に当接するローラとが第２のスライディングドア１６０と連動する。また、第１のスライディングドア１５０は、停止突起１５２、１６２の相互作用により第２のスライディングドア１６０と連動する。
【００２６】
次に、第１のスライディングドア１５０と第２のスライディングドア１６０とが固定ドア１４０に重なると、固定装置によって第２のスライディングドア１６０が回転ドア枠１２０に固定される。
【００２７】
次に、使用者は、各ドア１４０、１５０、１６０が重なった状態で固定された回転ドア枠１２０をヒンジ１７０を中心として回転させて開ける。すると、各ドア１４０、１５０、１６０の輪１４１、５１、１６１が、その方向を転換して、回転ドア枠１２０が開く方向に回転する。回転ドア枠１２０が適切に開くと、使用者はブレーキなどでドアの動きを固定することができる。
【００２８】
以上のように、本発明は、限定された実施例と図面とにより説明されたが、本発明は、これに限定されるものではなく、本発明が属する技術分野において通常の知識を有する者によって、本発明の技術思想と前記の特許請求の範囲の均等範囲内において様々な修正及び変形が可能であることは言うまでもない。
【図面の簡単な説明】
【００２９】
【図１】一般的なスライディングドアシステムの一例を示す斜視図である。
【図２ａ】本発明の実施例に係る回転可能なスライディングドアシステムの斜視図である。
【図２ｂ】スライディングドアシステムにおいてスライディングドアをスライドさせた状態を示す斜視図である。
【図２ｃ】スライディングドアシステムにおいて各ドアを一側に重ねた状態を示す斜視図である。
【図２ｄ】スライディングドアシステムにおいて各ドアを回転させた状態を示す斜視図である。
【図３】図２ａのIII−III線に沿った断面図である。
【図４】図２ａのIV−IV線に沿った断面図である。
【図５】図２ｄのV−V線に沿った断面図である。
【図６ａ】スライディングドアシステムの動作を説明するために示す断面図である。
【図６ｂ】スライディングドアシステムの回転ドア枠および固定ドア枠の形態の一例を示す図である。
【符号の説明】
【００３０】
１１０  フレーム、１２０  回転ドア枠、１２１，１３１  レール、１３０  固定ドア枠、１４０  固定ドア、１４１，１５１，１６１  輪、１４２，１５２，１６２  停止突起、１５０  第１のスライディングドア、１６０  第２のスライディングドア、１７０  ヒンジ。
【図１】
2006316605.tif 000003
【図２ａ】
2006316605.tif 000004
【図２ｂ】
2006316605.tif 000005
【図２ｃ】
2006316605.tif 000006
【図２ｄ】
2006316605.tif 000007
【図３】
2006316605.tif 000008
【図４】
2006316605.tif 000009
【図５】
2006316605.tif 000010
【図６ａ】
2006316605.tif 000011
【図６ｂ】
2006316605.tif 000012